【手続補正書】
【提出日】平成22年8月13日(2010.8.13)
【手続補正１】
【補正対象書類名】特許請求の範囲
【補正対象項目名】全文
【補正方法】変更
【補正の内容】
【特許請求の範囲】
【請求項１】
漏電表示機能付き分電盤と接地極線を主とした配電線電路の負荷側回路及び接地極付コンセントと、前記漏電表示機能付き分電盤の接地極線又は電力量計に配置された接地極線で構成された漏電電流測定装置であって、前記漏電表示機能付き分電盤と接地極線を主とした配電線電路の負荷側回路に接続された接地線Ｇと中性相線Ｎ間(分岐漏電ブレーカは検出しない)における漏電電流測定手段において、手動音声ガイダンス操作釦(16)は前記漏電表示機能付き分電盤の主幹ブレーカ(3)を操作盤開放スイッチ(19)で開放し、前記手動音声ガイダンス操作釦(17)で１次送り回路(1)中性相Ｎ側スイッチ(8)と電圧Ｌ側切換スイッチ(11)は開放とし、前記手動音声ガイダンス操作釦(15)で放電スイッチ(14)投入及び開放で中性相幹線Ｅ３の帯電は放電し、前記手動音声ガイダンス操作釦(18)で電圧Ｌ側切換スイッチ(11)は投入し、前記中性相幹線Ｅ３に制限電圧及び制限電流を印加する印加手段とし、回路表示手段(5)は点灯し、前記負荷側回路に接続された接地線Ｇと中性相線Ｎ間及び接地線Ｇと電源線Ｌ間における回路表示手段(5)及び接地極線で漏電電流測定手段とメモリー手段及び測定結果はアナウンス手段と、１次送り回路に接続の充電機能付き電源装置と、を具備したことを特徴とする接地極線を主とした配電線電路における低圧電気設備の漏電電流状態を測定する装置。
【請求項２】
前記手動音声ガイダンス操作釦(20)は、前記回路表示手段(5)で点灯表示された分岐漏電ブレーカ(4)を開放し、前記負荷側回路に接続された接地線Ｇと中性相線Ｎ間及び接地線Ｇと電源線Ｌ間における漏電電流測定手段の結果を、所有者票で登録した所有者及び製造事業者に提供されることを特徴とする接地極線を主とした配電線電路における低圧電気設備の漏電電流状態を測定する方法。 
【手続補正２】
【補正対象書類名】明細書
【補正対象項目名】全文
【補正方法】変更
【補正の内容】
【発明の詳細な説明】
【発明の名称】漏電電流状態を測定する装置及び漏電電流状態を測定する方法。
【技術分野】
【０００１】
単純な構成で、漏洩電流測定が可能な低圧電気設備の漏電電流状態を測定する装置及び事前調査を含む一連の測定作業が出来る低圧電気設備の漏電電流状態を測定する方法に関するものである。
【背景技術】
【０００２】
例えば「電気用品安全法における電気用品の技術上の基準を定める省令の取扱い細則」や「ＩＥＣ６０３３５−１：１９９４の国際標準規格」では、電気用品(測定対象体)に接続される２本の交流電源線(以下、「電源線」ともいう)のうちいずれか一本と電気用品の外装(露出充電部)との間の漏れ電流を測定する旨が指示されている。
この種の漏れ電流を測定可能な漏れ電流測定装置がある(例えば、特許文献１参照)。また、漏れ電流計及び装置が開示されている(例えば、特許文献２参照)。
【先行技術文献】
【特許文献】
【０００３】
【特許文献１】特開平１０−２４６６４５号公報
【特許文献２】特開２００４−１３８５６５号公報
【発明の開示】
【発明が解決しようとする課題】
【０００４】
しかしながら、給電側変圧器(61)と変圧器の２次側巻線(62)と中性線側(63)を大地に接地する接地線(64)で接地し、電路の負荷側接地端子(65)においても大地に接地線(68)で接地を施すＴＴ接地方式の低圧側配電線設備で供給している低圧電力供給に対し、サービス向上と原価低減(効率化)の相反する課題が要求されているが、現在、低圧電気設備の漏電電流状態を測定する装置がなく、供給管理職員及び電気工事者等の人的作業に頼るなどして効率が悪く、しかも内線規定による主幹を漏電ブレーカとした分電盤及び配電盤を設置したお客様(顧客)より、漏電地絡により作動し開放(停電)状態で、迅速な停電復旧依頼に対し、現在は供給管理職員及び電気工事者等が、保全業務に用いる絶縁測定装置等で対応するサービスになっている。
【０００５】
しかもお客様が、機器のスイッチ操作での短絡漏電(接地線Gと電源線L間における短絡)は、主幹の漏電ブレーカは機能するが、前記機器のスイッチは保持しない、また、機器の漏電(接地線G と中性相線N 間の漏電)状態は、前記主幹漏電ブレーカは検出しない(周知技術)ので、供給管理職員及び電気工事者等が戸別にブレーカ操作で対応するサービスでは、復帰操作を行う場合見落とすおそれがある。
【０００６】
また、保全業務に用いる絶縁測定装置等の電流を利用した、低圧電気設備の漏電電流状態を測定する装置がよく知られているが、保全業務に用いる絶縁測定装置には(注意事項として、不用意に用いると情報機器や家電機器が損傷する)と取扱説明書に記載されている、なお保全業務に用いる絶縁測定装置は、測定対象体に自らのメガー電圧が直接挿入されない様な配慮が不可欠であるが、構成上現実的に困難であるという問題点を有している、したがって、事前の調査をふくむ一連の測定作業を行う固定装置が必要である。
【０００７】
本発明は、保全業務に用いる絶縁測定装置等を用いる事無く、測定対象体を用いて事前調査を含む一連の測定作業が出来る、接地極線を主とした配電線電路と低圧電気設備の漏電電流状態を測定する装置及び漏電電流状態を測定する方法を提供することを主目的とする。
これにより上記の問題点を解決し、構成が非常に簡素で低コストになる電圧制限装置(以下、トランスレス電圧制限装置という)と接地極線を主とした配電線電路とで、例えば、前記配電線電路に接続のコンセント及びプラグ等に水が浸入し、トラッキング状態を検知する装置が実現できる。
【０００８】
本発明のもつ特長は、高圧配電線から柱上変圧器を介して一般家庭の電気を供給している接地極線を主とした配電線電路と低圧電気設備の漏電電流状態を測定する装置で、保全業務に用いる絶縁測定装置等を用いる事無く、接地極線を主とした配電線電路の低圧電気設備の漏電電流状態を測定する装置及び事前調査を含む一連の測定作業が出来る、接地極線を主とした配電線電路の低圧電気設備の漏電電流状態を測定する方法で、漏電表示機能付き分電盤の接地極線又は屋外の電力量計に配置された接地極線で構成された漏電電流測定装置であって、前記漏電表示機能付き分電盤に、構成が非常に簡素で低コストになるトランスレス電圧制限装置と接地極線を主とした配電線電路とを組み入れることで、接地極線を主とした配電線電路における低圧電気設備の漏電状態及び所有者票で登録した所有者の接続機器等の経年劣化を、前記屋外の電力量計に配置された接地極線で測定し、測定結果を証明書として前記所有者票で登録した所有者に提供する事が実現出来ます。
【０００９】
なお、経済産業省の関連情報として、所有者票で登録した所有者とは、消費生活用製品安全法の改正に伴い創設された制度です。
平成２１年４月１日からスタートした、事故を防ぎ、長く安全に使うために「長期使用製品安全点検制度」で、製品が古くなると部品等が劣化(経年劣化)し、火災や死亡事故を起こすおそれがあります。
「長期使用製品安全点検制度」では、メーカーに所有者登録することで、適切な時期に点検通知が届きますので、点検を受けましょう。
現在下記の対象製品(特定保守製品)を購入した場合は、メーカーに所有者登録をしましょう。
対象製品(特定保守製品)電気は、ビルトイン式電気食器洗機：浴室用電気乾燥機。石油は、石油給湯機：石油風呂釜：ＦＦ式石油温風暖房機。ガスは、屋内式ガス瞬間湯沸器(都市ガス用/プロパンガス用)：屋内式ガス風呂釜(都市ガス用/プロパンガス用)。
注意 平成２１年４月１日からは、現在お使いの製品も点検可能ですので、詳しくはメーカーにお尋ねください。(平成２１年４月１日よりも前に製造・輸入された製品) 経済産業省
【００１０】
漏電表示機能付き分電盤に、構成が非常に簡素で低コストになるトランスレス電圧制限装置と接地極線を主とした配電線電路とを組み入れることで、接地極線を主とした配電線電路における低圧電気設備の漏電状態及び所有者票で登録した所有者の接続機器等の経年劣化を、屋外の電力量計に配置された接地極線で測定し、測定結果を証明書として前記所有者票で登録した所有者に提供することを目的とする。
【課題を解決するための手段】
【００１１】
そして、請求項１に記載の低圧電気設備の漏電電流状態を測定する装置は、給電側変圧器(61)と変圧器の２次側巻線(62)と中性線側(63)を大地に接地する接地線(64)で接地し、電路の負荷側接地端子(65)においても大地に接地線(68)で接地を施すＴＴ接地方式の配電電路において、漏電表示機能付き分電盤と接地極線を主とした配電線電路の負荷側回路及び接地極付コンセント(35)と、前記漏電表示機能付き分電盤の接地極線又は電力量計に配置された接地極線で構成された漏電電流測定装置で構成されている。
【００１２】
前記漏電表示機能付き分電盤と接地極線を主とした配電線電路の負荷側回路に接続された接地線Ｇと中性相線Ｎ間(分岐漏電ブレーカは検出しない)における漏電電流状態を測定する装置において、手動音声ガイダンス操作釦(16)は前記漏電表示機能付き分電盤の主幹ブレーカ(3)を操作盤開放スイッチ(19)で開放し、前記手動音声ガイダンス操作釦(17)で１次送り回路(1)中性相Ｎ側スイッチ(8)及び電圧Ｌ側切換スイッチ(11)は開放とし、前記手動音声ガイダンス操作釦(15)で放電スイッチ(14)は投入及び開放で中性相幹線Ｅ３の帯電を放電する測定手段と、
【００１３】
前記手動音声ガイダンス操作釦(18)で電圧Ｌ側切換スイッチ(11)は投入で中性相幹線Ｅ３にトランスレス電圧制限を印加する印加手段とし、回路表示手段(5)は点灯し、前記負荷側回路に接続された接地線Ｇと中性相線Ｎ間及び接地線Ｇと電源線Ｌ間における漏電電流測定手段と回路表示手段(5)及び接地極線(68)で漏電電流測定手段とメモリー手段及び測定結果をアナウンス手段と１次送り回路(1)に接続の充電機能付き電源装置(13)と、を具備した、接地極線を主とした配電線電路における低圧電気設備の漏電電流状態を測定する装置。
【００１４】
そして、請求項２に記載の低圧電気設備の漏電電流状態を測定する方法は、前記手動音声ガイダンス操作釦(20)で前記回路表示手段(5)が点灯した分岐漏電ブレーカ(4)を開放し、前記負荷側回路に接続された接地線Ｇと中性相線Ｎ間及び接地線Ｇと電源線Ｌ間における漏電電流測定装置の結果を、所有者票で登録した所有者及び製造事業者に提供される、接地極線を主とした配電線電路の低圧電気設備の漏電電流状態を測定する方法であって、したがって、事前の調査をふくむ一連の測定作業を行う固定装置とする事が出来る。
【発明の効果】
【００１５】
現在頻発しているゲリラ的集中豪雨に対し、現在家屋内に分電盤(主幹・漏電ブレーカ)は設置され、例えば、床上浸水等で電気設備が破損し、主幹漏電ブレーカが作動し、その後の対策として分岐ブレーカを操作し、主幹漏電ブレーカが作動する回路点検対策は、分岐回路に、0.1秒流れてからの検出遮断となり、前記床上浸水等で電気設備が破損した事故箇所においての投入による第３者傷害の危険性がある。本願低圧電気設備の漏電電流状態を測定する装置は、１次送り回路(1)を有していますので、全回路が切れる事無く、回路点検中の事故箇所において、投入による第３者傷害の危険性は回避される効果がある。
【００１６】
なお、地震により高圧配電線路において地絡により保護区間となり、前記地絡事故が解消後の再開送電で遮断する地震対策の主幹漏電ブレーカは、分岐回路に、0.1秒流れてからの検出遮断となり、地震発生後の同時多発の危険性がある。本願低圧電気設備の漏電電流状態を測定する装置は、震度５強で主幹ブレーカはDC遮断する１次送り回路を有していますので、地震発生後の再開送電で分岐回路における、同時多発の危険性は回避される効果がある。
【００１７】
なお、地震発生後の不在家屋及び在宅家屋は、震度５強で主幹ブレーカはDC遮断する１次送り回路と、構成が非常に簡素で低コストになるトランスレス電圧制限装置と接地極線を主とした配電線電路と低圧電気設備の漏電状態及び接続機器の経年劣化を測定する方法を用いることで、需要家による不用意な事故回路に投入する危険性は回避される効果がある。
【００１８】
本発明のもつ特長は、高圧配電線から柱上変圧器を介して一般家庭の電気を供給している接地極線を主とした配電線電路における低圧電気設備の漏電電流状態を測定する装置で、保全業務に用いる絶縁測定装置等を用いる事無く、接地極線を主とした配電線電路の低圧電気設備の漏電電流状態を測定する装置及び事前調査を含む一連の測定作業が出来る、接地極線を主とした配電線電路の低圧電気設備の漏電電流状態を測定する方法で、漏電表示機能付き分電盤の接地極線又は屋外の電力量計に配置された接地極線で構成された漏電電流測定装置であって、前記漏電表示機能付き分電盤に、構成が非常に簡素で低コストになるトランスレス電圧制限装置と接地極線を主とした配電線電路とを組み入れることで、接地極線を主とした配電線電路における低圧電気設備の漏電状態及び所有者票で登録した所有者の接続機器等の経年劣化を、前記屋外の電力量計に配置された接地極線で測定し、測定結果を証明書として前記所有者票で登録した所有者に提供する事を実施することができます。
【図面の簡単な説明】
【００１９】
【図１】施工後のダミー測定対象体Ｘ１Ｎ等を用いた回路図
【図２】施工後のダミー測定対象体Ｘ２Ｌ等を用いた回路図
【発明を実施するための形態】
【００２０】
そして、接地極線を主とした配電線電路の低圧電気設備の漏電電流状態を測定する装置が取り入れられた配線図「参考として第1図」を供給営業所地域担当者が確認と指導し、施工後のダミー測定対象体を用いた回路図と点検データの提出を地域営業所担当者が確認することで、ＴＴ接地方式の低圧側配電線設備で供給している低圧電力供給に対し、サービス向上と原価低減(効率化)の相反する課題が要求されているが、需要家の所有する所有者票登録の機器またはトラッキング等の回路に係わる事故に対する使用後の損傷に対する証明書を発行することで、供給管理サービスが行いやすくなる。
【００２１】
施工後の「ダミー測定対象体」を用いた回路図(参考として第1図)を参照して、漏電表示機能付き分電盤に、トランスレス電圧制限装置と接地極線を主とした配電線電路における、低圧電気設備の漏電状態及び所有者票で登録した所有者の接続機器等の経年劣化を、屋外の電力量計に配置された接地極線で測定し、測定結果を証明書として前記所有者票で登録した所有者に提供する、好適な実施の形態について説明する。
【００２２】
そして、請求項１に記載の低圧電気設備の漏電電流状態を測定する装置は、給電側変圧器(61)と変圧器の２次側巻線(62)と中性線側(63)を大地に接地する接地線(64)で接地し、電路の負荷側接地端子(65)においても大地に接地線(68)で接地を施すＴＴ接地方式の配電電路において、漏電表示機能付き分電盤と接地極線を主とした配電線電路の負荷側回路及び接地極付コンセント(35)と、前記漏電表示機能付き分電盤の接地極線又は電力量計に配置された接地極線で構成された漏電電流測定装置で構成されている。
【００２３】
そして、請求項２に記載の低圧電気設備の漏電電流状態を測定する方法は、前記手動音声ガイダンス操作釦(20)で前記回路表示手段(5)が点灯した分岐漏電ブレーカ(4)を開放し、前記負荷側回路に接続された接地線Ｇと中性相線Ｎ間及び接地線Ｇと電源線Ｌ間における漏電電流測定装置の結果を、所有者票で登録した所有者及び製造事業者に提供される、接地極線を主とした配電線電路の低圧電気設備の漏電電流状態を測定する方法であって、したがって、事前の調査を含む一連の測定作業を行う固定装置とする事が出来る。
【００２４】
なお、接地線Ｇと中性相線Ｎ間における漏電電流測定方法は(参考として第1図)の回路図に示すように、各々の先端部にプローブがそれぞれ接続された測定用ケーブル、14a、14b、14c、スイッチ15s、測定抵抗16nで測定対象体Ｘ１Ｎとし、接地線Ｇと電源線Ｌ間における漏電電流測定方法は(参考として第２図)の回路図に示すように、各々の先端部にプローブがそれぞれ接続された測定用ケーブル、24a、24b、24c、スイッチ25s、測定抵抗26lで測定対象体Ｘ２Ｌとを備え、測定対象体についての漏れ電流を測定可能にする構成とされている。
【００２５】
なお、接地線Ｇと中性相線Ｎ間及び接地線Ｇと電源線Ｌ間における漏電電流測定装置は、例えば、複数の測定対象体Ｘ１Ｎ及び測定対象体Ｘ２Ｌと、複数の分岐漏電ブレーカ(4、24)と回路表示手段(5、25)と、これらの各素子の接続状態を切り替えるための複数のリレーとを備え、制御部によって各リレーがオン／オフ制御されることにより、トランスレス電圧制限装置で印加する印加手段とし、中性相幹線Ｅ３に接続の分岐開閉器の回路表示手段は点灯し、前記負荷側回路に接続された接地線Ｇと中性相線Ｎ間及び接地線Ｇと電源線Ｌ間における漏電電流測定手段と回路表示手段及び接地極線で漏電電流測定手段とメモリー手段及び測定結果をアナウンス手段と、を具備する測定手段と、
【００２６】
前記手動音声ガイダンス操作釦で前記回路表示手段が点灯の分岐漏電ブレーカは開放し、前記負荷側回路に接続された接地線Ｇと中性相線Ｎ間及び接地線Ｇと電源線Ｌ間における電電流測定手段の結果を、所有者票で登録した所有者及び製造事業者に提供される、一連の測定作業になる。
【００２７】
そして、低圧電気設備の漏電電流状態を計測する装置における、施工後の「ダミー測定対象体」を用いた回路図(参考として第1図)を参照して、操作方法について説明する。
【００２８】
なお、電源線Ｌ側、Ｎ側と、接地線側Ｇおよび接地線Ｇと中性相線Ｎ間における漏電電流測定方法は(参考として第1図)においては、各々の分岐ブレーカ回路の先端部にプローブがそれぞれ接続された測定対象体Ｘ１Ｎとして設置し、接地線Ｇと電源線Ｌ間の漏電電流測定方法は(参考として第２図)においては、各々の分岐ブレーカ回路の先端部に先端部にプローブがそれぞれ接続された測定対象体Ｘ２Ｌとして設置し、測定対象体Ｘ１Ｎ及びＸ２Ｌについての漏れ電流を測定するものとする。
【００２９】
次に、制御部の手動音声ガイダンス操作釦(16)は、前記漏電表示機能付き分電盤の主幹ブレーカ(3)を操作盤開放スイッチ(19)で開放し、前記手動音声ガイダンス操作釦(17)で１次送り回路(1)の中性相Ｎ側スイッチ(8)と電圧Ｌ側切換スイッチ(11)は開放とし、前記電圧Ｌ側切換スイッチ(11)に接続したトランスレス電圧制限装置で印加する印加手段とし、前記開放された主幹ブレーカ(3)の負荷側中性相幹線Ｅ３に接続し、電路の負荷側接地端子(67)と放電スイッチ(14)は前記負荷側中性相幹線Ｅ３に接続とし、前記手動音声ガイダンス操作釦(15)で放電スイッチ(14)投入と開放で中性相幹線Ｅ３の帯電を放電する測定手段と、
【００３０】
前記手動音声ガイダンス操作釦(18)で電圧Ｌ側切換スイッチ(11)は前記負荷側中性相幹線Ｅ３に投入し、前記中性相幹線Ｅ３にトランスレス電圧制限を印加する印加手段とし、回路表示手段(5)は点灯し、前記負荷側回路に接続された接地線Ｇと中性相線Ｎ間及び接地線Ｇと電源線Ｌ間における漏電電流測定手段と回路表示手段(5)及び接地極線(68)で漏電電流測定手段とメモリー手段及び測定結果をアナウンス手段と１次送り回路(1)に接続の充電機能付き電源装置(13)と、を具備する測定手段と、
【００３１】
前記手動音声ガイダンス操作釦(20)で前記回路表示手段(5)が点灯の分岐漏電ブレーカ(4)は開放し、前記負荷側回路に接続された接地線Ｇと中性相線Ｎ間及び接地線Ｇと電源線Ｌ間における漏電電流測定手段の結果を所有者票で登録した所有者及び製造事業者に提供される、したがって、事前の調査を含む一連の測定作業を行う固定装置とする事が出来る。
【００３２】
なお、(参考として第1図)記載の充電機能付き電源装置(13、33)は、単相３線式供給を「多数の電源を含む回路の各部の電流または電圧は、各電源が一つずつ単独に存在すると仮定して求めた電流又は電圧を、重ね合わせたものに等しい」という定理、この定理は、RとLとCで構成されている回路では電源が正弦波である場合に限らず一般に成立する(重ね合わせの理ともいう)前記充電機能付き電源装置(13、33)のRとLとC供給は、交流正弦波を重ね合わせの理で前記充電機能付き電源装置(13、33)に供給し前記一次送り回路(1、21)は、交流正弦波供給が維持される。
【００３３】
また、(参考として第1図)記載のトランスレス電圧制限を印加する印加手段は、１次送り回路(1、21)の負荷電圧L側に接続したトランスレス電圧制限装置(9)と、表示手段LED(10)で構成した「保護ヒューズに並列接続の交流上り側LEDと交流下り側LEDと交流を一方向とする、一方向交流を直列接続のネオンランプの陽極から陰極へ流れ陰極側がグロー点灯で形成され、かつ、交流波形の変形は交流７０Vで点灯し、交流上り側＋３５Vと交流下り側−３５Vを交流一方向にするトランスレス電圧制限」で、前記手動音声ガイダンス操作釦(18)で電圧Ｌ側切換スイッチ(11)を負荷側中性相幹線Ｅ３に投入し、トランスレス電圧制限を印加する印加手段とし、回路表示手段は点灯し、前記負荷側回路に接続された接地線Ｇと中性相線Ｎ間及び接地線Ｇと電源線Ｌ間における漏電電流測定手段と回路表示手段及び接地極線で漏電電流測定手段とメモリー手段及び測定結果をアナウンス手段と１次送り回路(1)に接続の充電機能付き電源装置(13)と、を具備し、共に作動する構成とした。
【００３４】
なお、(参考として第1図)に記載の、負荷側回路に接続された接地線Ｇと中性相線Ｎ間及び接地線Ｇと電源線Ｌ間におけるトランスレス電圧制限を印加する印加手段と、手動音声ガイダンス操作釦における回路点検手段は「電線中における自由電子は、電荷を運ぶ担い手にすぎない」という定理と、前記トランスレス電圧制限を印加する印加手段は、回路に流れる電流は必ず「行き」と「帰り」とがある、電流は瞬時に負荷まで届いて帰るから、その途中に検出部(ZCT負荷側回路表示)を設け、ここを通過する「行き」と「帰り」の電流を測り、その差を見つけ出す定理で、中性相幹線Ｅ３にトランスレス電圧制限を印加する印加手段とし、回路表示手段は点灯し、前記負荷側回路に接続された接地線Ｇと中性相線Ｎ間及び接地線Ｇと電源線Ｌ間における漏電電流測定手段と回路表示手段及び接地極線で漏電電流測定手段とメモリー手段及び測定結果をアナウンス手段と１次送り回路に接続の充電機能付き電源装置と、を具備する。
【００３５】
前記手動音声ガイダンス操作釦で前記回路表示手段点灯の分岐漏電ブレーカは開放し、前記負荷側回路に接続された接地線Ｇと中性相線Ｎ間及び接地線Ｇと電源線Ｌ間における、接地極線を主とした配電線電路と低圧電気設備の漏電状態及び所有者票で登録した所有者の接続機器等の経年劣化を、屋外の電力量計に配置された接地極線で測定し、測定結果を証明書として前記所有者票で登録した所有者に、証明書の発行効果が得られる。
【産業上の利用可能性】
【００３６】
本発明の特長は、手動音声ガイダンス操作釦で回路表示手段点灯の分岐漏電ブレーカを開放し、前記分岐漏電ブレーカの負荷側回路に接続された接地極線を主とした配電線電路と低圧電気設備の漏電状態及び所有者票で登録した所有者の接続機器等の経年劣化を、屋外の電力量計に配置された接地極線で供給側営業所の担当者が測定器で測定し、測定結果を証明書として前記所有者票で登録した所有者に提供する。
供給事業者営業所の供給管理業務として、前記測定結果の証明書を前記所有者票で登録した所有者に提供することで、所有者票登録の所有者又は製造事業者等は、漏れ電流(経年劣化を含む)等の故障修理ができる。
【００３７】
なお前記装置を取り入れられた配線図(参考として第1図)を地域の営業所の担当者が確認と指導し、施工後のダミー測定対象体等を用いた回路図と、点検データの提出を営業所担当者が確認とお客様番号を付与し、前記お客様番号をナビゲーションシステムに入力することで、需要家の所有する所有者票登録の機器またはトラッキング等の、負荷側回路に接続された接地極線を主とした配電線電路に係わる事故に対する、使用後の損傷に対し、屋外の電力量計に配置された接地極線で測定器を用いて測定し、お客様番号を付与した測定証明書を発行する、お客様番号を用いた地図ソフトで供給管理業務が行いやすくなると共に、供給事業者が所有する電灯線通信又はPHS等の通信システムと、お客様番号を主としたインターネットビジネスが行える。
【符号の説明】
【００３８】
６１  給電側変圧器
６２  変圧器の２次側巻線
６３  中性線側
６４  中性線側接地線
６５  引き込み線
６６  電力量計
６７  電路の負荷側接地端子
６８  負荷側接地線
１  １次送り回路
２１  １次送り回路
３  主幹ブレーカ
４  分岐漏電ブレーカ
５  回路表示手段
２４  分岐漏電ブレーカ
２５  回路表示手段
６  他の分岐ブレーカ
２６  他の分岐ブレーカ
８  １次送り回路中性相Ｎ側スイッチ
２８  １次送り回路中性相Ｎ側スイッチ
９  電圧Ｌ側に接続したトランスレス電圧制限装置
２９  電圧Ｌ側に接続したトランスレス電圧制限装置
１０  表示手段LED
３０  表示手段LED
１１  Ｌ側切替えスイッチ
３１  Ｌ側切替えスイッチ
Ｅ３  負荷中性相幹線
１２  負荷L側幹線
３２  負荷L側幹線
１３  充電機能付き電源装置の常時供給回路
３３  充電機能付き電源装置の常時供給回路
３５  接地極付コンセント
３５１  電源線側Ｌ
３５２  中性相線側Ｎ
３５３  接地線側Ｇ
３５４  一次送り負荷側に接続されたコンセント
３５５  分岐漏電ブレーカの負荷側に接続されたコンセント
３５６  手動遮断装置
３５７  自動遮断装置
１４  放電スイッチ
１５  操作釦
１６  操作釦
１７  操作釦
１８  操作釦
１９  操作盤開放スイッチ
２０  操作釦
短絡１ ダミー測定対象体Ｘ１Ｎ
短絡２ ダミー測定対象体Ｘ２Ｌ
【手続補正３】
【補正対象書類名】図面
【補正対象項目名】全図
【補正方法】変更
【補正の内容】
【図１】
2010091581.tif 000001
【図２】
2010091581.tif 000002